(57)【要約】【課題】金属サイディングの表面板の模様との連続性を保ちながら目地を覆い、作業性よく施工することのできる外壁用役物を提供する。【解決手段】表面板４１に模様が付けられた金属サイディング４の目地を覆う外壁用役物であって、駆体５に固定されたベース部材３とそれに嵌着するカバー部材Ａとからなり、該カバー部材Ａは長尺のジョイナ２と、このジョイナ２に被着され上記表面板４１と同じ模様を有する短尺の化粧材１とからなるとともに、該化粧材１の上端部と他の化粧材１の下端部とが重なり合うようにスライド自在とされた金属サイディング用役物。【選択図】図１
2007016545.tif 000002
【特許請求の範囲】
【請求項１】
表面板に模様が付けられた金属サイディングの目地を覆う外壁用役物であって、駆体に固定されたベース部材とそれに嵌着するカバー部材とからなり、該カバー部材は長尺のジョイナと、このジョイナに被着され上記表面板と同じ模様を有する短尺の化粧材とからなるとともに、該化粧材の上端部と他の化粧材の下端部とが重なり合うようにスライド自在とされた金属サイディング用役物。
【請求項２】
上記化粧材はその幅方向両端部が折り曲げられ、その折り曲げ部でジョイナの幅方向両端部をスライド自在に挟持するとともに、化粧材の上端部には直上の化粧材の下端部とジョイナとの隙間に挿入される連結片が突設された請求項１に記載の金属サイディング用役物。
【請求項３】
上記化粧材が金属サイディングの表面板から形成される請求項１に記載の金属サイディング用役物。
【発明の詳細な説明】
【技術分野】
【０００１】
本発明は、サイディング用役物に関する。さらに詳しくは、表面板が煉瓦地等の模様でデザインされた金属サイディングの目地を覆う役物に関する。
【背景技術】
【０００２】
従来から建物の外装材として、窯業系サイディングや、金属サイディング等のサイディング材がよく用いられている。とくに、金属サイディングを用いる場合、サイディングの表面を覆う表面板に、例えば、煉瓦地等の模様を付けて化粧された金属サイディングを使用することが一般的となっている。一方、上記金属サイディングどうしの目地をカバーするカバー材も表面板と同一の模様とすることにより意匠性が向上するため、下記特許文献１には上記目地カバー材を金属サイディングの表面板で作製した外壁用役物が提案されている。
【特許文献１】特開２００４−１５０２５４号公報（第１〜５頁、第２図、３図、第５、６図）
【発明の開示】
【発明が解決しようとする課題】
【０００３】
上記目地カバー材は、特許文献１の図５、図６に示されているように長尺物であり、この場合、金属サイディング本体の製品寸法のバラツキや取り付け位置によって、目地カバー材と表面板との模様の位置がずれる可能性がある。そのため、長尺の目地カバー材と金属サイディングとの位置調整を全体的に行って表面板との模様の連続性を保たなければならず、施工の際の作業性が悪いという問題がある。本発明はこのような問題を解決して、金属サイディングの表面板の模様との連続性を保ちながら、目地を覆うとともに、作業性よく施工することのできるサイディング用役物を提供することを、その課題とする。
【課題を解決するための手段】
【０００４】
上記課題を解決するために、本発明にかかる金属サイディング用役物は請求項１に記載したように、表面板に模様が付けられた金属サイディングの目地を覆う外壁用役物であって、駆体に固定されたベース部材とそれに嵌着するカバー部材とからなり、該カバー部材は長尺のジョイナと、このジョイナに被着され上記表面板と同じ模様を有する短尺の化粧材とからなるとともに、該化粧材の上端部と他の化粧材の下端部とが重なり合うようにスライド自在とされた点にある。
【０００５】
また、請求項２に記載の発明は、請求項１の発明に加えて、上記化粧材はその幅方向両端部が折り曲げられ、その折り曲げ部でジョイナの幅方向両端部をスライド自在に挟持するとともに、化粧材の上端部には直上の化粧材の下端部とジョイナとの隙間に挿入される連結片が突設された点にある。このとき、上記連結片は正面からみたとき略台形とし、化粧材とジョイナとの隙間に挿入し易いようにやや内側に傾斜されていることが好ましい。
【０００６】
請求項３に記載の発明は、請求項１の発明に加え、上記化粧材が金属サイディングの表面板から形成された点にある。すなわち、上記化粧材が、金属サイディングの表面板に付けられた模様と同色、同形、同大の模様を有することが好ましい。
【発明の効果】
【０００７】
請求項１に記載の金属サイディング用役物は上記のとおりであり、上記化粧材が上記ジョイナにスライド自在に、かつ、化粧材の上端部と他の化粧材の下端部とが重なり合うように被着されるため、上記カバー部材を用いて左右の金属サイディングの目地をカバーしたとき、上記化粧材の重なり幅をスライド自在に調節することが可能となり、金属サイディングの表面板に付けられた模様と化粧材の模様との連続性を容易に保つことができ、見映えよく施工することができる。
【０００８】
請求項２に記載の金属サイディング用役物は上記のとおりであり、請求項１の金属サイディング用役物の有する効果に加え、化粧材の幅方向両端部を折り曲げて形成された折り曲げ部がジョイナの幅方向両端部をスライド自在に挟持するため、化粧材どうしを、上下に直線性を保って見栄えよく施工することができる。また、該化粧材の上端部に突設された連結片が直上の化粧材の下端部とジョイナとの隙間に挿入され、その重なり幅はスライド自在に調節可能であるため、作業性よく、化粧材の模様と左右の金属サイディングの模様との連続性を保つことができる。
【０００９】
請求項３に記載の金属サイディング用役物は上記のとおりであり、請求項１の金属サイディング用役物の有する効果に加え、上記化粧材が金属サイディングの表面板から形成されているため、化粧材の模様が同質となり、連続性を保って一体的に構成され、さらに見映えよく施工することができる。
【発明を実施するための最良の形態】
【００１０】
以下、本発明の実施形態について図面を参照して、詳細に説明する。図１ないし図３は本発明にかかる金属サイディング用役物の実施例を示すものである。図１は、上記金属サイディング用役物の構成を示す斜視図である。図２は、上記金属サイディング用役物を用いて表面板に模様が付けられた金属サイディングを建物の躯体に取り付けた状態を示す平断面図である。以下、図１、図２を参照して説明する。
【００１１】
図１において、ベース部材３は躯体５に直接あるいは胴縁を介して固定され、長尺のジョイナ２の幅方向中間部に突設された一対の係合凸部２１に係合する係合片３１を有している。上記ジョイナ２とベース部材３とは金属製、例えばアルミ押し出し成形品が用いられ、係合凸部２１と係合片３１とが係合することによって上記ジョイナ２はベース部材３にしっかりと嵌着される。
【００１２】
本発明にかかるカバー部材Ａは、上記ジョイナ２に金属サイディング４の表面板４１から作製された短尺の化粧材１が被着されてなり、図１に示されているように、化粧材１の幅方向両端部が折り曲げられ、その折り曲げ部１１でジョイナ２の幅方向両端部をスライド自在に挟持する。さらに、最上部を除く化粧材１の上端部には直上の化粧材１の下端部とジョイナ２との隙間に挿入される連結片１２が突設されている。上記のように構成されているため、化粧材１どうしはその上端部と下端部とが重なり合うことによって、上下に直線性を保って見栄えよく施工することができる。
【００１３】
さらに、化粧材１の下端部とジョイナ２との隙間に挿入される連結片１２の重なり幅は、化粧材１の上下スライド幅を調整することにより、微調整可能であり、化粧材１の模様と左右の表面板４１に付けられた模様とをミリメータ単位で位置調整して、模様の連続性を容易に保つことができる。図３は、上記カバー部材Ａを用いて表面板４１に模様が付けられた金属サイディング４を外壁として取り付けた状態を示す正面図である。図３から、本発明の金属サイディング用役物を用いることにより、金属サイディング４の目地を作業性よく覆えるとともに、表面板４１の模様と化粧材１の模様の連続性を保ちながら、意匠性よく施工できることが明らかである。
【図面の簡単な説明】
【００１４】
【図１】本発明にかかる金属サイディング用役物の構成を示す斜視図である。
【図２】上記金属サイディング用役物を用いて金属サイディングを取り付けた状態を示す平断面図である。
【図３】上記金属サイディング用役物を用いて金属サイディングを取り付け、連続化した模様を示す正面図である。
【符号の説明】
【００１５】
Ａ          本発明にかかるカバー部材
１          化粧材
１１        折り曲げ部
１２        連結片
２          ジョイナ
２１        係合凸部
３          ベース部材
３１        係合片
４          金属サイディング
４１        表面板
５          躯体
【図１】
2007016545.tif 000003
【図２】
2007016545.tif 000004
【図３】
2007016545.tif 000005